(57)【要約】【課題】  特定のガスに対して感度が高く、該特定のガスを簡便な方法で検出可能なガス検出器具及びガス検出方法を提供する【解決手段】  本発明のガス検出器具１０は、支持体上にハロゲン化銀乳剤層が設けられたガス検出フィルム１１が、気体出入口を有する遮光容器１２に収納されたガス検出器具であり、ガス検出フィルム１１は、ハロゲン化銀乳剤層はガススカベンジャーを含有しないものである。【選択図】    図１
2006084344.tif 000002
【特許請求の範囲】
【請求項１】
支持体上にハロゲン化銀乳剤層が設けられたガス検出フィルムが、気体出入口を有する遮光容器に収納されたガス検出器具であって、前記ハロゲン化銀乳剤層はガススカベンジャーを含有しないことを特徴とするガス検出器具。
【請求項２】
前記ガススカベンジャーがシアン化水素ガススカベンジャーであることを特徴とする請求項１に記載のガス検出器具。
【請求項３】
前記ハロゲン化銀乳剤層が、ヨウ臭化銀、ヨウ塩化銀、及びヨウ塩臭化銀の少なくともいずれかを含有することを特徴とする請求項１又は２に記載のガス検出器具。
【請求項４】
前記ハロゲン化銀乳剤層が、金増感剤、硫黄増感剤、セレン増感剤、及びテルル増感剤の少なくともいずれかを含有することを特徴とする請求項１から３のいずれか１項に記載のガス検出器具。
【請求項５】
前記ガス検出フィルムと、支持体上にハロゲン化銀乳剤層が設けられた対照用フィルムとが前記遮光容器に収納され、前記対照用フィルムはガススカベンジャーを含有することを特徴とする請求項１から４のいずれか１項に記載のガス検出器具。
【請求項６】
前記ガス検出フィルムが気体を内部に通さない遮光容器に収納された対照用器具を備えていることを特徴とする請求項１から４のいずれか１項に記載のガス検出器具。
【請求項７】
遮光状態におかれたハロゲン化銀乳剤に被検サンプルを接触させ、接触によって生じる乳剤のカブリ濃度の変化によって被検サンプル中の特定のガスを検出するガス検出方法。
【請求項８】
前記乳剤のカブリ濃度を測定し、カブリ濃度を換算して前記特定のガスの濃度を測定する請求項７に記載のガス検出方法。
【請求項９】
前記特定のガスがシアン化水素ガスである請求項７又は８に記載のガス検出方法。
【発明の詳細な説明】
【技術分野】
【０００１】
本発明は、サンプルに含まれる特定のガスを検出可能なガス検出器具及びガス検出方法に関し、特に、シアン化水素ガスを検出できるガス検出器具及びガス検出方法に関する。
【背景技術】
【０００２】
いわゆる「青酸ガス」として知られるシアン化水素ガス等のシアンガスは、人体にとって極めて有毒であり、非常に微量のシアンガスであっても長期に渡って人体に接触することで深刻な影響を与えることがある。そこで、大気中或いは液体中に含まれる微量のシアンガスを簡便に検出して濃度測定することができ、しかも、シアンガスの検出を長期に渡って継続的に行うことのできるシアンガスの測定方法が望まれている。
従来のシアンガス濃度を測定する方法としては、北川式ガス検知管を用いて行う方法がよく知られている。この北川式ガス検知管は、塩化第二水銀にシアンを反応させて塩化水素を遊離させ、この遊離する塩化水素により呈色反応を起こさせて変色程度を測定するものである（例えば非特許文献１）。しかし、この検知管は通常１００ppm以上のガス濃度の場合に用いられ、その検出限界は０．５ppm程度であるため、これより微量の濃度では検出が困難である。
【０００３】
また、特許文献１には試料液中の総シアンを分析できる装置が提案されている。この装置を用いて総シアンの分析を行うには、試料液をｐＨ２以下の酸性にした後、蒸留装置により蒸留し、試料液より発生した青酸ガスをｐＨ１２以上のアルカリ性吸収液に吸収して、該吸収液に酸または塩を添加してｐＨ１１．５以下とした後、吸収液を電気化学検出器付イオンクロマトグラフに注入する。この方法によれば、低濃度のシアンを検出可能であるが、イオンクロマトグラフィを使用するので装置が高額になるという問題がある。
【０００４】
ところで、光に対する感度（以下、写真感度ともいう）の高いハロゲン化銀写真感光材料では、感光したときに写真感光材料に内在する化学物質からシアン化水素ガスやホルムアルデヒドが発生することがあり、このシアン化水素ガスやホルムアルデヒドによる「カブリ」が発生しやすくなる。「カブリ」とは、現像したときに未露光部分の写真濃度が高くなる現象をいう。上記のような内因性ガスによる「カブリ」を防止するために写真感光材料中にガススカベンジャーを添加する技術が知られている（例えば、特許文献２）。特許文献２では、シアン化水素ガススカベンジャーを用いた技術が開示されている。
【非特許文献１】北川式ガス検知管１１２ＳＢ製品情報、光明理化学工業作製、インターネット［平成16年8月6日検索］（URL： http://www.komyokk.co.jp/pdata/tpdf/112SB_0.pdf）
【特許文献１】特開平６−２５８３０３号公報
【特許文献２】特開平６−３３２１０９号公報
【発明の開示】
【発明が解決しようとする課題】
【０００５】
本発明の目的は、特定のガスに対して感度が高く、該特定のガスを簡便な方法で検出可能なガス検出器具及びガス検出方法を提供することである。
【課題を解決するための手段】
【０００６】
本発明の課題は、下記の手段により達成される。
１．  支持体上にハロゲン化銀乳剤層が設けられたガス検出フィルムが、気体出入口を有する遮光容器に収納されたガス検出器具であって、前記ハロゲン化銀乳剤層はガススカベンジャーを含有しないことを特徴とするガス検出器具。
２．  前記ガススカベンジャーがシアン化水素ガススカベンジャーであることを特徴とする上記１に記載のガス検出器具。
３．  前記ハロゲン化銀乳剤層が、ヨウ臭化銀、ヨウ塩化銀、及びヨウ塩臭化銀の少なくともいずれかを含有することを特徴とする上記１又は２に記載のガス検出器具。
４．  前記ハロゲン化銀乳剤層が、金増感剤、硫黄増感剤、セレン増感剤、及びテルル増感剤の少なくともいずれかを含有することを特徴とする上記１から３のいずれか１項に記載のガス検出器具。
５．  前記ガス検出フィルムと、支持体上にハロゲン化銀乳剤層が設けられた対照用フィルムとが前記遮光容器に収納され、前記対照用フィルムはガススカベンジャーを含有することを特徴とする上記１から４のいずれか１項に記載のガス検出器具。
６．  前記ガス検出フィルムが気体を内部に通さない遮光容器に収納された対照用器具を備えていることを特徴とする上記１から４のいずれか１項に記載のガス検出器具。
７．  遮光状態におかれたハロゲン化銀乳剤に被検サンプルを接触させ、接触によって生じる乳剤のカブリ濃度の変化によって被検サンプル中の特定のガスを検出するガス検出方法。
８．  前記乳剤のカブリ濃度を測定し、カブリ濃度を換算して前記特定のガスの濃度を測定する上記７に記載のガス検出方法。
９．  前記特定のガスがシアン化水素ガスである上記７又は８に記載のガス検出方法。
【発明の効果】
【０００７】
本発明によれば、ガススカベンジャーを含有しないハロゲン化銀乳剤を用いたガス検出フィルムのカブリ濃度の変化を利用することによって、有毒ガスの検出を簡便にｐｐｂオーダーで行うことが可能である。
【発明を実施するための最良の形態】
【０００８】
以下、本発明に係るガス検出器具の実施形態について図面に基づいて説明する。なお、以下の実施形態において、同一部材は同一符号を付すことにより重複する説明を省略する。
図１に本発明に係るガス検出器具の実施形態を示す。図１に示すように、ガス検出器具１０は、ハロゲン化銀乳剤層を有するガス検出フィルム１１が遮光容器１２に収納されたものである。遮光容器１２の側面には、気体導入口１６及び気体排出口１７が設けられている。遮光容器１２は、図２に示すように、プラスチック製の２つの半割部材からなり、その半割部材の一辺同士が薄肉部１３で連結された構造を有している。半割部材の縁部分にはそれぞれ係止凹部１８及び係止凸部１９が設けられ、遮光容器１２を開閉自在に形成されている。
【０００９】
ガス検出フィルム１１の詳細を図３に示す。図３に示すように、ガス検出フィルム１１は、支持体１４上にハロゲン化銀乳剤層１５が設けられたものである。このハロゲン化銀乳剤層１５は、ハロゲン化銀粒子がゼラチン等に分散したハロゲン化銀乳剤から形成されている。ハロゲン化銀乳剤としては、公知のハロゲン化銀写真感光材料（いわゆる銀塩写真用フィルム）に用いられるハロゲン化銀乳剤を用いることができるが、写真感度の高いハロゲン化銀乳剤を用いるのがよい。
ハロゲン化銀乳剤に含まれるハロゲン化銀としては、特に限定されず、塩素、臭素、ヨウ素のいずれの銀塩でもよく、ヨウ臭化銀、ヨウ塩化銀、もしくはヨウ塩臭化銀を含んでいてもよい。ハロゲン化銀乳剤には、ヨウ臭化銀、ヨウ塩化銀、及びヨウ塩臭化銀の少なくともいずれかを含有することが好ましい。ハロゲン化銀乳剤がこれらのハロゲン化銀を含有することにより、検出ガスに対して高感度なハロゲン化銀乳剤を得ることができる。より好ましいハロゲン化銀としては、約３０モル％以下のヨウ化銀を含む、ヨウ臭化銀、ヨウ塩化銀、及びヨウ塩臭化銀の少なくとも含むものであり、さらに好ましいのは約２モル％から約１０モル％までのヨウ化銀を含むヨウ臭化銀もしくはヨウ塩臭化銀である。
【００１０】
ハロゲン化銀乳剤中のハロゲン化銀粒子は、立方体、八面体、十四面体のような規則的な結晶を有するもの、球状、板状のような変則的な結晶形を有するもの、双晶面などの結晶欠陥を有するもの、あるいはそれらの複合形でもよい。ハロゲン化銀は、約０．２μｍ以下の微粒子でも投影面積直径が約１０μｍに至るまでの大サイズ粒子でもよい。ハロゲン化銀乳剤は、粒径が揃った単分散乳剤でもよいし、様々な粒径の微粒子を含む多分散乳剤でもよい。
また、本実施形態に係るハロゲン化銀乳剤には、感光性ハロゲン化銀乳剤の粒子サイズ、粒子サイズ分布、ハロゲン組成、粒子の形状、感度の少なくとも１つの特性の異なる２種類以上の乳剤を、混合して使用することができる。
【００１１】
また、ハロゲン化銀乳剤には、金増感剤、硫黄増感剤、セレン増感剤、及びテルル増感剤の少なくともいずれかを含有することが好ましい。これらの増感剤を含有することにより、検出ガスに対して高感度なハロゲン化銀乳剤を得ることができる。金増感剤及び硫黄増感剤の少なくともいずれかを含有することがより好ましい。
増感剤を用いる場合、その添加量としては、使用するハロゲン化銀粒子又は化学熟成条件等により適宜変更することが可能であるが、ハロゲン化銀１モル当り１０-8〜１０-2モル用いることが好ましく、１０-7〜５×１０-3モル程度を用いることがより好ましい。また、増感剤による化学増感の条件としては、特に制限はないが、ｐＡｇは６〜１１であることが好ましく、７〜１０がより好ましく、温度は４０〜９５℃であることが好ましく、４５〜８５℃がより好ましい。
【００１２】
増感剤としては、ハロゲン化銀写真感光材料に用いられる公知の増感剤を用いることができる。金増感剤としては、塩化金酸、カリウムクロロオーレート、カリウムオーリチオシアネート、硫化金、金セレナイド等が挙げられる。また、硫黄増感剤としては、チオ硫酸塩（例えば、ハイポ）、チオ尿素類（例えば、ジフェニルチオ尿素、トリエチル尿素、アリルチオ尿素）、ローダニン類等が挙げられる。
【００１３】
セレン増感剤としては、不安定型セレン化合物及び非不安定型セレン化合物が挙げられる。不安定型セレン化合物とは、乳剤中にセレン化合物を不安定な状態で存在させたものをいい、セレン化合物を高温、好ましくは４０℃以上で乳剤に加え一定時間攪拌することにより得られる。
不安定型セレン化合物としては、具体的には特公昭４４−１５７４８号、特公昭４３−１３４８９号、特願平２−１３０９７６号、特願平２−２２９３００号などに記載の化合物を用いることが好ましい。具体的な不安定セレン増感剤としては、イソセレノシアネート類（例えばアリルイソセレノシアネートの如き脂肪族イソセレノシアネート類）、セレノ尿素類、セレノケトン類、セレノアミド類、セレノカルボン酸類（例えば、２−セレノプロピオン酸、２−セレノ酪酸）、セレノエステル類、ジアシルセレニド類（例えば、ビス（３−クロロ−２，６−ジメトキシベンゾイル）セレニド）、セレノホスフェート類、ホスフィンセレニド類、コロイド状金属セレン等が挙げられる。
【００１４】
非不安定型セレン化合物としては、特公昭４６−４５５３号、特公昭５２−３４４９２号および特公昭５２−３４４９１号に記載の化合物が用いられる。非不安定型セレン化合物としては、例えば亜セレン酸、セレノシアン化カリウム、セレナゾール類、セレナゾール類の四級塩、ジアリールセレニド、ジアリールジセレニド、ジアルキルセレニド、ジアルキルジセレニド、２−セレナゾリジンジオン、２−セレノオキサゾリジンチオンおよびこれらの誘導体等が挙げられる。
【００１５】
テルル増感剤としては、例えば、米国特許第１，６２３，４９９号、同第３，３２０，０６９号、同第３，７７２，０３１号、英国特許第２３５，２１１号、同第１，１２１，４９６号、同第１，２９５，４６２号、カナダ特許第８００，９５８号、特開平４−２０４６４０号、同４−２７１３４１号、同４−３３３０４３号、特願平４−１２９７８７号、同４−１８５００４号、ジャーナル・オブ・ケミカル・ソアイアティー・ケミカル・コミュニケーション（J. Chem. Soc. Chem. Commun.） ６３５ （１９８０）、ibid １１０２（１９７９）、ibid ６４５（１９７９）、ジャーナル・オブ・ケミカル・ソサイアティー・パーキン・トランザクション（J. Chem. Soc. Perkin Trans.） １，２１９１（１９８０）、Ｓ．パタイ（S. Patai）編、ザ・ケミストリー・オブ・オーガニック・セレニウム・アンド・テルリウム・カンパウンズ（The. Chemistry of OrganicSelenium and Tellurium compounds） ，Vol １（１９８６）、同Vol ２（１９８７）に記載の化合物を用いることができる。
【００１６】
具体的なテルル増感剤としては、例えばコロイド状テルル、テルロ尿素類（例えばアリルテルロ尿素、Ｎ，Ｎ−ジメチルテルロ尿素、テトラメチルテルロ尿素、Ｎ−カルボキシエチル−Ｎ′，Ｎ′−ジメチルテルロ尿素、Ｎ，Ｎ′−ジメチルエチレンテルロ尿素、Ｎ，Ｎ′−ジフェニルエチレンテルロ尿素）、イソテルロシアナート類（例えばアリルイソテルロシアナート）、テルロケトン類（例えばテルロアセトフェノン）、テルロアミド類（例えばテルロアセトアミド、Ｎ，Ｎ−ジメチルテルロベンズアミド）、テルロヒドラジド（例えばＮ，Ｎ′，Ｎ′−トリメチルテルロベンズヒドラジド）、テルロエステル（例えばｔ−ブチル−ｔ−ヘキシルテルロエステル）、ホスフィンテルリド類（例えばトリブチルホスフィンテルリド、トリシクロヘキシルホスフィンテルリド、トリイソプロピルホスフィンテルリド、ブチル−ジイソプロピルホスフィンテルリド、ジブチルフェニルホスフィンテルリド）、ジアシル（ジ）テルリド類（例えばビス（ジフェニルカルバモイル）ジテルリド、ビス（Ｎ−フェニル−Ｎ−メチルカルバモイル）ジテルリド、ビス（Ｎ−フェニル−Ｎ−メチルカルバモイル）テルリド、ジエチルカルバモイルテルリド、ビス（エトキシカルボニル）テルリド）、（ジ）テルリド類、他のテルル化合物（例えば英国特許第１，２９５，４６２号記載の負電荷のテルライドイオン含有ゼラチン、ポタシウムテルリド、ポタシウムテルロシアナート、アリルテルロシアネート）等が挙げられる。
【００１７】
また、上記増感剤のほかに還元増感剤を併用することも可能である。還元増感剤としては、例えば、塩化第１スズ、アミノイミノメタンスルフィン酸、ヒドラジン誘導体、ボラン化合物（例えばジメチルアミンボラン）、シラン化合物、ポリアミン化合物、等が挙げられる。
【００１８】
また、ハロゲン化銀乳剤層１５（図３）を形成するハロゲン化銀乳剤には、検出すべきガスのガススカベンジャーを含まない。本発明における「ガススカベンジャー」とは、ハロゲン化銀乳剤層１５に侵入したガスを、銀形成に対して不活性な物質に変換可能な化合物を指し、本発明における「ガススカベンジャー」にはハロゲン化銀写真感光材料において用いられる公知の「ガススカベンジャー」が含まれる。
本実施形態に係るガス検出器具１０（図１）は、ガス検出フィルム１１が上記のようなガススカベンジャーを含まないハロゲン化銀乳剤層を有しているので、写真の「カブリ」という現象を利用して、低濃度のガスを安価かつ簡便に検出することができる。
【００１９】
ガス検出フィルム１１にハロゲン化銀乳剤層１５以外の層（中間層、保護層等）を設ける場合にも、これらの層にガススカベンジャーが含まれないことが好ましく、ガス検出フィルム全体としてガススカベンジャーが含まれないことがより好ましい。
ガススカベンジャーとしては、例えば、シアン化水素ガススカベンジャーが挙げられる。すなわち、シアン化水素ガススカベンジャーを添加しないハロゲン化銀乳剤を調製してハロゲン化銀乳剤層１５を形成することで、シアン化水素ガスを検出可能なガス検出器具１０を得ることができる。
【００２０】
シアン化水素ガススカベンジャーとしては、貴金属を含む無機化合物又は有機化合物が知られている。貴金属の無機化合物又は有機化合物としては、パラジウム（II又はIV） 、白金(II 又はIV) 、金（Ｉ又はIII）、ロジウム(III) 、イリジウム(III又はIV) 、オスミウム(II 、III 又はIV) の化合物等がある。他にも、グメリンハンドブック（Gmelin Handbook）に記述されている化合物を挙げることができる。
パラジウム化合物の代表例としては、塩化パラジウム（II） 、臭化パラジウム（II）、水酸化パラジウム(II)、硫酸パラジウム(II)、チオシアン酸パラジウム(II)、テトラクロロパラジウム(II)酸塩（ナトリウム塩、カリウム塩、アンモニウム塩）、ヘキサクロロパラジウム(IV)酸塩、テトラブロモパラジウム(II)酸塩、ヘキサブロモパラジウム(IV)酸塩、ビス（サリチラト） パラジウム(II)酸塩、ビス( ジチオオキサラート−Ｓ，Ｓ′)パラジウム(II)酸塩、trans −ジクロロビス（チオエーテル）パラジウム(II)、テトラアンミンパラジウム(II)塩、ジクロロジアンミンパラジウム(II)、ジブロモジアンミンパラジウム(II)、オキサラトジアンミンパラジウム(II)、ジニトロジアンミンパラジウム(II)、ビス（エチレンジアミン）パラジウム(II)塩、ジクロロエチレンジアミンパラジウム(II)、ビス（２，２′−ビピリジン）パラジウム(II)塩、ビス（１，１０−フェナントロリン）パラジウム(II)塩、テトラニトロパラジウム(II)酸塩、ビス（グリシナト）パラジウム(II)、テトラキス（チオシアナト）パラジウム(II)酸塩、ジクロロビス（ホスフィン）パラジウム(II)、ジ−μ−クロロ−ビス（クロロ（ホスフィン）パラジウム(II)）、ジ−μ−クロロ−ビス（クロロ（アルシン）パラジウム(II)）、およびジニトロビス（アルシン）パラジウム(II)等が挙げられる。
【００２１】
白金化合物の代表例としては、塩化白金（II）、塩化白金（IV）、ヘキサフルオロ白金（IV）酸塩、テトラクロロ白金（II）酸塩、ヘキサキロロ白金（IV）酸塩、トリクロロトリフルオロ白金（IV）酸塩、テトラブロモ白金（II）酸塩、ヘキサブロモ白金（IV）酸塩、ジブロモジクロロ白金（II）酸塩、ヘキサヒドロキソ白金（IV）酸塩、ビス（オキサラト）白金（II）酸塩、ジクロロビス（オキサラト）白金（IV）酸塩、ビス（チオオキサラト）白金（II）酸塩、ビス（アセチルアセトナト）白金（II）、ビス（１，１，１，５，５，５−ヘキサフルオロ−２，４−ペンタンジオナト）白金（II）、ビス（１，１，１−トリフルオロ−２，４−ペンタンジオナト）白金（II）、テトラキス（チオシアナト）白金（II）酸塩、ヘキサキス（チオシアナト）白金（IV）酸塩、ビス｛（Ｚ）−１，２−ジシアノエチレン−１，２−ジチオラト｝白金（II）酸塩、ジクロロビス（ジエチルスルフィド）白金（II）、テトラクロロビス（ジエチルスルフィド）白金（IV）、ビス（グリシナト）白金（II）、ジクロログリシナト白金（II）酸塩、ジクロロビス（トリエチルホスフィン）白金（II）、クロロヒドリドビス（トリエチルホスフィン）白金（II）、テトラアンミン白金（II）塩、テトラクロロ白金（II） 酸塩、ジクロロジアンミン白金（II）、トリクロロアンミン白金（II）塩、ヘキサアンミン白金（IV）塩、クロロペンタアンミン白金（IV）塩、テトラクロロジアンミン白金（IV）、ジニトロジアンミン白金（II）、ジクロロテトラキス（メチルアミン）白金（IV）塩、ジクロロ（エチレンジアミン）白金（II）、ビス（エチレンジアミン）白金（II）塩、トリス（エチレンジアミン）白金（IV）塩、ジクロロビス（エチレンジアミン）白金（IV）塩、ジクロロジヒドロキソ（エチレンジアミン）白金（IV）、テトラキス（ピリジン）白金（II）塩、ジクロロビス（ピリジン）白金（II）、ビス（２，２′−ビピリジン）白金（II）塩、テトラニトロ白金（II）酸塩、クロロトリニトロ白金（II）酸塩、ジクロロジニトロ白金（II）酸塩、ジブロモジニトロ白金（II）酸塩、ヘキサニトロ白金（IV）酸塩、クロロペンタニトロ白金（IV）酸塩、ジクロロテトラニトロ白金（IV）酸塩、トリクロロトリニトロ白金（IV）酸塩、テトラクロロジニトロ白金（IV）酸塩、ジブロモジクロロジニトロ白金（IV）酸塩、トリクロロ（エチレン）白金（II）酸塩、ジ−μ−クロロビス｛クロロ（エチレン）｝白金（II）、trans −ジクロロ（エチレン）（ピリジン）白金（II）、ビス（ビス（β−メルカプトエチルアミン）ニッケル（II）−Ｓ，Ｓ′）−白金（II）塩、およびジクロロジカルボニル白金（II）等が挙げられる。
【００２２】
金（Ｉ又はIII）、ロジウム(III) 、イリジウム(III又はIV) およびオスミウム(II 、III 又はIV) の化合物も同様に挙げることができる。これらの具体例としては、例えばカリウムテトラクロロオーレート(III) 、ロジウム(III) クロライド、カリウムヘキサクロロイリデート(IV)、カリウムテトラクロロイリデート(III) およびカリウムヘキサクロロオスメート(IV)等が挙げられる。
【００２３】
他に、ガススカベンジャーとしては、ホルムアルデヒド、硫化水素、ガス状水銀等に対するガススカベンジャーを挙げることができる。これらのガススカベンジャーを含まないことにより、前記と同様に、ホルムアルデヒド、硫化水素、ガス状水銀等を低濃度まで検出可能なガス検出器具１０（図１）を得ることができる。
ホルムアルデヒドに対するガススカベンジャーとしては、ホルムアルデヒドと反応して、固定化できる化合物が知られている。このホルムアルデヒドを固定化できる化合物としては、米国特許 4,411,987号や同第 4,435,503号に記載された化合物がある。
【００２４】
また、ハロゲン化銀乳剤には、種々の添加剤を添加することができる。添加剤としては、メルカプト化合物、かぶらせ剤、現像促進剤、ハロゲン化銀溶剤、染料、カラーカプラー等を使用することができる。これらの添加剤に関して、具体的な化合物例としては以下のとおりである。
メルカプト化合物としては、米国特許第 4,740,454号明細書、同第 4,788,132号明細書、特開昭62-18539号公報、特開平1-283551号公報に記載のメルカプト化合物が挙げられる。かぶらせ剤、現像促進剤、ハロゲン化銀溶剤としては、特開平1-106052号に記載の化合物が挙げられる。染料としては、国際公開WO88/04794号パンフレット、特表平1-502912号公報に記載された方法で分散された染料またはEP 317,308A 号明細書、米国特許 4,420,555号明細書、特開平1-259358号公報に記載の染料が挙げられる。カラーカプラーとしては、リサーチ・ディスクロージャーNo.17643、VII −Ｃ〜Ｇ、および同No.307105、VII −Ｃ〜Ｇに記載された化合物が挙げられる。カラーカプラーを適宜添加することによって、現像処理（後述）によって赤、青、緑、黄色等を呈するガス検出フィルム１１を得ることができる。
【００２５】
イエローカプラーとしては、例えば米国特許第3,933,501 号、同第 4,022,620号、同第 4,326,024号、同第 4,401,752号、同第4,248,961号、特公昭 58-10739 号、英国特許第 1,425,020号、同第 1,476,760号、米国特許第 3,973,968号、同第 4,314,023号、同第4,511,649 号、欧州特許第 2  9,473A 号明細書等に記載のものを用いることができる。
マゼンタカプラーとしては5-ピラゾロン系及びピラゾロアゾール系の化合物が挙げられ、具体的には、米国特許第 4,310,619号、同第 4,351,897号、欧州特許第 73,636号、米国特許第 3,061,432号、同第 3, 725,067 号、リサーチ・ディスクロージャーNo.24220（1984年６月）、特開昭60-33552号、リサーチ・ディスクロージャーNo.24230（1984年６月）、特開昭60-43659号、同61-72238号、同60-35730号、同55-118034 号、同60-185951 号、米国特許第4,500,630 号、同第4,540,654 号、同第 4,556,630号、国際公開WO88/04795号等に記載の化合物を用いることができる。
【００２６】
シアンカプラーとしては、フェノール系及びナフトール系カプラーが挙げられ、米国特許第 4,052,212号、同第 4,146,396号、同第 4,228,233号、同第 4,296,200号、同第 2,369,929号、同第 2,801,171号、同第 2,772,162号、同第2,895,826 号、同第 3,772,002号、同第 3,758,308号、同第 4,334,011号、同第 4,327,173号、西独特許公開第3,329,729 号、欧州特許第 121,365A号、同第 249, 453A号、米国特許第 3,446,622号、同第 4,333,999号、同第 4,775,616号、同第 4,451,559号、同第 4,427,767号、同第 4,690,889号、同第 4,254,212号、同第 4,296,199号、特開昭 61-42658 号等に記載の化合物を用いることができる。
さらに、特開昭64-553号、同64-554号、同64-555号、同64-556に記載のピラゾロアゾール系カプラーや、米国特許第4,818,672 号に記載のイミダゾール系カプラーも使用することができる。また、使用するカプラーは、水中油滴分散法等の種々の公知分散方法により感光材料に導入できる。
【００２７】
ハロゲン化銀乳剤は、公知の方法を用いて調製することができる。ハロゲン化銀乳剤の調製方法としては、例えばリサーチ・ディスクロージャー（ＲＤ）N o.17643 (1978年12月), 22〜23頁,"Ｉ. 乳剤製造（Emu  lsion preparation and types）"、および同No.18716 (1979年11月), 648 頁、同No.307105(1989年11月),863〜865 頁、およびグラフキデ著「写真の物理と化学」，ポールモンテル社刊（P.Glafkides, Chemie et Phisique Photographique, PaulMontel, 1967）、ダフィン著「写真乳剤化学」，フォーカルプレス社刊（G.F. D  uffin,Photographic Emulsion Chemistry (Focal Pres  s, 1966)）、ゼリクマンら著「写真乳剤の製造と塗布」、フォーカルプレス社刊（V. L. Zelikman et al.,Making and Coating Photographic Emulsion, Focal Press, 1964） などに記載された方法を用いることができる。
【００２８】
また、ハロゲン化銀乳剤は、物理熟成、化学熟成及び分光増感の少なくともいずれかを行ったものを使用することが好ましい。これらのような処理で使用される添加剤はリサーチ・ディスクロージャーNo.17643、同No.18716および同No.307105 に記載されている。
【００２９】
ハロゲン化銀乳剤層１５は、１層でもよいし複数の層から構成してもよく、複数の層から構成する場合は、これらのハロゲン化銀乳剤層の層数および層順に特に制限はない。
また、ガス検出フィルム１１は、ハロゲン化銀乳剤層１５以外にも、下塗り層、表面保護層、バック層、中間層、ハレーション防止層、混色防止層等のハロゲン化銀を含有しない層を有していてもよい。このような層を有する場合、その層数および層順に特に制限はない。
【００３０】
支持体１４に用いる材料としては、特に限定されないが、トリアセチルセルロース（ＴＡＣ）、ポリエチレンテレフタレート（ＰＥＴ）、ポリエチレンナフタレート（ＰＥＮ）、等を用いることができる。中でも、ＴＡＣを用いることが好ましい。
支持体１４上にハロゲン化銀乳剤層１５を形成するには、支持体１４上にハロゲン化銀乳剤を塗布、乾燥することによって行うことができる。塗布方法としては、スピンコート法、ワイヤーバーコート法等を用いることができる。また、複数のハロゲン化銀乳剤層１５を形成する場合やハロゲン化銀乳剤層１５以外の層を形成する場合には、マルチコート法を用いることができる。
支持体の厚みとしては、５０μｍから５００μｍ程度がよい。また、ハロゲン化銀乳剤の厚みとしては、１０μｍから１００μｍ程度がよい。
【００３１】
ガス検出フィルム１１の大きさは、幅が１０ｍｍ〜５０ｍｍで、長さが２０ｍｍ〜１００ｍｍ程度がよい。ガス検出フィルム１１は、ロール形状であってもよい。
ガス検出フィルム１１としては、市販のハロゲン化銀写真感光材料でシアン化水素ガススカベンジャーを含まないものを用いることができる。ガス検出フィルム１１として市販のものを用いる場合、黒白用、カラー用いずれでもよい。市販のハロゲン化銀写真感光材料としては、例えば、黒白ネガフィルムであるネオパン１００アクロス、ネオパン２００アクロス、ネオパン４００アクロス（いずれも富士写真フイルム社製）等を用いることができる。
【００３２】
また、図１に示す遮光容器１２の材質としてはプラスチックを例示したが、遮光性を有する材質で形成されているものであれば特に限定されず、ガラス、プラスチック、鉄やアルミ等の金属等、いずれのものでもよい。遮光容器１２は、例えば、茶色又は黒色に着色されたガラスやプラスチックから形成することができる。
また、本発明に用いることができる遮光容器の形状は、図１に示したものに限定されず、内部のガス検出フィルムを遮光することが可能で、かつ該フィルムに被検サンプルを接触させることができるものであれば、どのような形状のものでもよい。例えば、図４に示すガス検出器具４０のように、遮光容器４２として例えば茶色に着色されたポリエチレン袋を用いることができる。ポリエチレン袋により遮光容器４２を形成する場合、気体導入管４６及び気体排出管４７を取り付けることによって、ガス検出器具４０内部にサンプル気体を導入することが可能である。
【００３３】
本発明のガス検出器具の被検サンプルは気体であることが好ましく、例えば、室内の空気、ドラフト内の空気等におけるガスの検出に用いることが可能である。また、本発明のガス検出器具により検出可能なガスは、ハロゲン化銀乳剤に含まれないガススカベンジャーによって不活化されるガスと対応しており、例えば、シアン化水素ガススカベンジャーを含有しないハロゲン化銀乳剤を用いる場合には、シアン化水素ガスの検出が可能となる。
【００３４】
また、本発明に係るガス検出器具の別の実施形態を図５に示す。図５に示すガス検出器具５０は、遮光容器１２に、ガススカベンジャーを含まないハロゲン化銀乳剤層を有するガス検出フィルム１１と、ガススカベンジャーを含む対照用フィルム５１ａを有している。このような対照用フィルム５１ａを備えたガス検出器具５０によれば、ガス検出フィルム１１の比較対照があるので、検出ガス以外の要因によるカブリの影響を排除することができ、ガス検出をより明確に行うことが可能となる。
なお、本発明に係るガス検出器具は、対照用器具として、ガス検出フィルム１１が気体を内部に通さない遮光容器に収納されたものを備えていてもよい。この場合も検出ガス以外の要因によるカブリの影響を排除することができ、ガス検出をより明確に行うことが可能となる。
【００３５】
対照用フィルム５１ａに含まれるガススカベンジャーは、ガス検出フィルム１１に含まれないガススカベンジャーと同種のものである。例えば、シアン化水素ガスを検出する場合には、ガス検出フィルム１１にはシアン化水素ガススカベンジャーを含まないようにし、対照用フィルム５１ａにシアン化水素ガススカベンジャーを含ませるようにする。
対照用フィルム５１ａに含まれるガススカベンジャーは、ハロゲン化銀乳剤層に含有されていてもよいし、支持体、又はバック層、表面保護層、中間層、ハレーション防止層等の層に含有されていてもよい。
【００３６】
ガススカベンジャーを添加する方法としては、ハロゲン化銀写真感光材料に添加剤を加える場合に通常用いられる方法を適用できる。例えば、水溶性の化合物は適当な濃度の水溶液とし、水に不溶または難溶性の化合物は水と混和しうる適当な有機溶媒、たとえばアルコール類、グリコール類、ケトン類、エステル類、アミド類などのうちで、写真特性に悪い影響を与えない溶媒に溶解し、溶液として、添加することができる。ガススカベンジャーの好ましい添加量は０．４ｍｇ／ｍ2〜２．５ｍｇ／ｍ2である。
【００３７】
次に、本発明のガス検出方法の一例として、図１に示すガス検出器具１０を用いてガス検出を行う方法について説明する。
図１に示すガス検出器具１０を用いてガスを検出するには、まずガス検出器具１０のガス検出フィルム１１を被検サンプルに接触させる。ガス検出フィルム１１を被検サンプルに接触させるには、ガス検出を行う場所にガス検出器具１０を放置するだけでよいが、気体導入口１６にブロワー（図示せず）等を接続して気体排出口１７より強制的に排気させることで、サンプル気体を接触させるようにしてもよい。また、気体排出口１７に吸引装置（図示せず）を取り付けることにより、遮光容器１２の内部にサンプル気体を導入してもよい。
サンプル気体を接触させる際の条件としては、特に限定されないが、サンプル気体の温度が１０℃〜４０℃の範囲であるのがよい。
【００３８】
次に、遮光状態のままでガス検出フィルム１１を取り出して現像処理を行い、接触によって生じるガス検出フィルム１１のカブリ濃度の変化によって、サンプル気体中のガス検出を行うことができる。より具体的には、サンプル気体に接触させないガス検出器具を用意して冷蔵庫等に保存し、この保存しておいたガス検出フィルムのカブリ濃度と、サンプル気体を接触させた後のガス検出フィルムのカブリ濃度とを比較することによって、ガス検出することができる。
現像処理は、ハロゲン化銀写真感光材料に適用される公知の現像方法に従って行うことができ、例えば、前述のＲＤ．No.17643の28〜29頁、同No.18716の 651左欄〜右欄、および同No.307105 の880 〜881 頁に記載された通常の方法によって現像処理することができる。また、発色現像後に漂白処理を行ってもよい。漂白処理は定着処理と同時に行ってもよいし（漂白定着処理）、個別に行なわれてもよい。漂白剤としては、例えば鉄（III ）などの多価金属の化合物、過酸類、キノン類、ニトロ化合物等を用いることができる。ガス検出フィルム１１の現像処理は、特開昭 60-191257号、同 60-191258号、同 60-191259号に記載の自動現像機を用いて行うことが可能である。
【００３９】
カブリ濃度は、カラーデンシトメータ（例えば、Ｘ−ｒｉｔｅ社の３１０ＴＲ、マクベス社のＴＤ５０４等）を用いて定量的に測定することが可能である。なお、予め、ガス濃度が既知の標準気体のカブリ濃度測定値から検量線を作成して、この検量線をもとにサンプル気体の検出ガス濃度を測定することが可能である。
図４に示すガス検出器具４０を用いた場合も、上記と同様にガス検出を行うことができる。また、図５に示すガス検出器具５０を用いる場合、ガス検出フィルム１１と対照用フィルム５１ａとのカブリ濃度の差を算出することによって、ガス検出及びガス濃度測定を行うことができる。
【００４０】
なお、本発明のガス検出方法は、上記の方法に限定されず、例えば、ハロゲン化銀写真感光材料を収納するのに用いられるパトローネ（図６）や、ピーケース（ハロゲン化銀写真感光材料の保存容器として一般的に用いられる、白色半透明の円筒状の容器）にガス検出フィルムを収納したものを用いて行うことも可能である。
【実施例】
【００４１】
実施例により本発明を更に詳細に説明するが、本発明は以下の実施例に限定されるものではない。
１）支持体を下記の方法により作製した。
・ＰＥＮ：市販のポリエチレン−２，６−ナフタレートポリマー１００重量部と紫外線吸収剤としてTinuvinP.326( ガイギー社製) を２重量部と常法により乾燥した後、３００℃にて溶融後、Ｔ型ダイから押し出し１４０℃で３．３倍の縦延伸を行い、続いて１３０℃で３．３倍の横延伸を行い、さらに２５０℃で６秒間熱固定した。
・ＰＥＴ：市販のポリエチレンテレフタレートポリマーを通法に従い２軸延伸、熱固定を行い、厚み８５μｍのフィルムを得た。
・ＴＡＣ：トリアセチルセルロースを通常の溶液流延法により、メチレンクロライド／メタノール＝８２／８ｗｔ比、ＴＡＣ濃度１３％、可塑剤ＴＰＰ／ＢＤＰ＝２／１（ここでＴＰＰ；トリフェニルフォスフェート、ＢＤＰ；ビフェニルジフェニルフォスフェート）の１５ｗｔ％のバンド法にて作製した。
【００４２】
２）上記各支持体の両面にコロナ放電処理をした後、下記組成の下塗液を塗布して下塗層を延伸時高温面側に設けた。コロナ放電処理はピラー社製ソリッドステートコロナ処理機６ＫＶＡモデルを用い、３０cm幅支持体を２０ｍ／分で処理する。このとき、電流・電圧の読み取り値より被処理物は、０．３７５ＫＶ・Ａ・分／m2の処理がなされた。処理時の放電周波数は、９．６ＫＨｚ、電極と誘導体ロールのギャップクリアランスは、１．６mmであった。
・下塗液の組成
ゼラチン 3ｇ，蒸留水 250cc，ソジウムα−スルホジ−２−エチルヘキシルサクシネート 0.05ｇ，ホルムアルデヒド 0.02ｇ
【００４３】
３）下塗りを施した支持体上に、下記に示す組成のハロゲン化銀乳剤層（１）〜（３）をそれぞれ塗布し、図３に示すガス検出フィルム１１の試料（１）〜（３）を作製した。作製したフィルムの構成を表１に示す。
各ハロゲン化銀乳剤層に使用する化合物の略称は以下の通りである。
ＥｘＣ：シアンカプラー，ＵＶ：紫外線吸収剤，ＥｘＭ：マゼンタカプラー，ＨＢＳ：高沸点有機溶剤，ＥｘＹ：イエローカプラー，Ｈ ：ゼラチン硬化剤，ＥｘＳ：増感色素
また、各成分に対応する数字は、ｇ／m2単位で表した塗布量を示し、ハロゲン化銀については、銀換算の塗布量を示す。ただし増感色素については、同一層のハロゲン化銀１モルに対する塗布量をモル単位で示す。
【００４４】
・ハロゲン化銀乳剤（１）
乳剤（ａ） 銀 1.62，ＥｘＳ−１ 2.0×10-4 ，ＥｘＳ−２ 1.0×10-5 ，ＥｘＳ−３ 3.0×10-4 ，ＥｘＣ−１ 0.125 ，ＥｘＣ−３ 0.040 ，ＥｘＣ−６ 0.010 ，ＥｘＣ−８ 0.014 ，Ｃｐｄ−２ 0.050 ，ＨＢＳ−１（トリクレジルホスフェート） 0.22 ，ＨＢＳ−２（ジ−ｎ−ブチルフタレート） 0.10 ，ゼラチン 1.60
・ハロゲン化銀乳剤（２）
乳剤（ａ） 銀 1.29 ＥｘＳ−４ 3.7×10-5 ＥｘＳ−５ 8.1×10-5 ＥｘＳ−６ 3.2×10-4 ＥｘＣ−１ 0.011 ＥｘＭ−１ 0.016 ＥｘＭ−４ 0.046 ＥｘＭ−５ 0.023 Ｃｐｄ−３ 0.050 ＨＢＳ−１ 0.20 ＨＢＳ−２ 0.08 ポリエチルアクリレートラテックス 0.26 ゼラチン 1.57
・ハロゲン化銀乳剤（３）
乳剤（ｂ） 銀 1.30 ＥｘＳ−７ 3.0×10-4 ＥｘＹ−２ 0.15 ＥｘＹ−３ 0.06 ＨＢＳ−１ 0.070 ゼラチン 1.13
【００４５】
【化１】
2006084344.tif 000003
【００４６】
【化２】
2006084344.tif 000004
【００４７】
【化３】
2006084344.tif 000005
【００４８】
【化４】
2006084344.tif 000006
【００４９】
【化５】
2006084344.tif 000007
【００５０】
また、上記乳剤（ａ）及び（ｂ）は、特開平2-191938号公報の実施例に従って作製し、二酸化チオ尿素とチオスルフォン酸を用いて粒子調製時に還元増感し、更に、特開平3-237450号公報の実施例に従い、各感光層に記載の分光増感色素とチオシアン酸ナトリウムの存在下に金増感、硫黄増感、及びセレン増感を施した。
【００５１】
【表１】
2006084344.tif 000008
【００５２】
上記試料（１）〜（３）を図１に示す遮光容器１２に収納して、シアン化水素ガス測定用のガス検出器具１０を作製した。シアン化水素ガス濃度が１０ｐｐｂ、５０ｐｐｂ、１００ｐｐｂ、１５０ｐｐｂである空気を入れた保存容器にガス検出器具１０を入れ、一晩放置した。その後、ガス検出フィルムを取り出し、下記に示す処理液により、発色現像（処理温度38℃，処理時間3分）、停止（38℃，1分）、水洗（38℃，1分）、漂白定着（38℃，2分）、水洗（38℃，1分）、安定浴（38℃，1分）の順に現像処理を行った。
各処理液は次の組成を有するものを使用した。
（発色現像液）
苛性ソーダ 2ｇ，亜硫酸ソーダ 2ｇ，臭化カリウム 0.4ｇ，塩化ナトリウム 1ｇ，ホー砂 4ｇ，ヒドロキシルアミン硫酸塩 2ｇ，エチレンジアミン四酢酸２ナトリウム２水塩 2ｇ，４−アミノ−３−メチル−Ｎ−エチル−Ｎ−（β− ヒドロキシエチル）アニリン・モノサルフェート 4ｇ，水を加えて全量を１リットルとした。
（漂白定着液）
エチレンジアミン４酢酸鉄（３価）ナトリウム・２水塩 100ｇ，臭化カリウム 50ｇ，硝酸アンモニウム 50ｇ，ホウ酸 5ｇ，チオ硫酸ソーダ 150ｇ，亜硫酸ソーダ 15ｇ，ホウ砂 12ｇ，氷酢酸 15ミリリットル，カリ明ばん 20ｇ，アンモニア水を加えてpHを6.5に調節し，水を加えて全量を1リットルとした。
（安定浴）
ホウ酸 5ｇ，クエン酸ソーダ 5ｇ，メタホー酸ソーダ（４水塩） 3ｇ，カリ明ばん 15ｇ，水を加えて全量を1リットルとした。
【００５３】
気体に接触させずに冷蔵庫で保存したガス検出フィルム（試料（１）〜（３）と同様の組成）に対しても上記と同様の現像処理を行った。試料（１）〜（３）及びこの冷蔵庫保存のガス検出フィルムのカブリ濃度を濃度計エックスライト（X-rite社）にて測定し、試料（１）〜（３）と冷蔵庫保存のガス検出フィルムとのカブリ濃度差ΔDを算出した。その結果、シアン化水素ガス濃度とΔＤとの関係から図７のグラフに示す検量線を得た。この結果から、本発明のガス検出器具を用いてシアン化水素ガスを検出し、その濃度を測定できることがわかる。
【００５４】
［実施例２］
上記の試料（１）において、ハロゲン化銀乳剤層（１）と支持体との間に中間層を備えた対照用フィルム（１）を作製した。なお、中間層を、下記組成にシアン化水素ガススカベンジャーとしてテトラクロロパラジウム(II)酸塩（カリウム塩）が２ｍｇ／ｍ2の割合で添加して形成した。
（中間層）
Ｃｐｄ−１ 0.07 ＨＢＳ−１ 0.04 ポリエチルアクリレートラテックス 0.19 ゼラチン 1.30
【００５５】
上記で作製した対照用フィルム（１）を試料（１）とともに遮光容器１２に入れて、図５に示すガス検出器具５０を作製した。このガス検出器具を用いて実施例１と同様にシアン化水素ガスを所定濃度で含有する空気を接触させ、現像処理を行って、対照用フィルム（１）と試料（１）とのカブリ濃度差ΔD’を算出した。その結果、実施例１と同様にシアン化水素ガス濃度とΔＤ’との関係から検量線が得られた。従って、図２に示す本発明のガス検出器具も、シアン化水素ガスを検出でき、その濃度を測定できることがわかる。
【００５６】
［実施例３］
図６に示すパトローネに収納した状態のハロゲン化銀写真感光材料（ネオパン１００アクロス、富士写真フイルム社製）を実施例１で用いたシアン化水素ガスを所定濃度で含有する保存容器に入れ、一晩置いた後、実施例１と同様に現像処理を行った。一方、シアン化水素ガスを含有する空気に接触させずに冷蔵庫で保存したネオパン１００アクロスに対しても同様の現像処理を行った。
実施例１と同様にしてカブリ濃度差ΔD”を算出した結果、シアン化水素ガス濃度とΔＤ”との関係から検量線が得られた。従って、市販のハロゲン化銀写真感光材料を用いて本発明のガス検出方法を行った場合でもシアン化水素ガスを検出でき、その濃度を測定できることがわかる。
【図面の簡単な説明】
【００５７】
【図１】本発明に係るガス検出器具の一実施形態を示す模式図である。
【図２】本発明に係るガス検出器具の一実施形態を示す模式図である。
【図３】本実施形態に係るガス検出フィルムを示す模式図である。
【図４】本発明に係るガス検出器具の一実施形態を示す模式図である。
【図５】本発明に係るガス検出器具の一実施形態を示す模式図である。
【図６】ハロゲン化銀写真感光材料の収納容器として用いられるパトローネの形態を示す図である。
【図７】シアン化水素濃度に対するカブリ濃度の測定値から得られた検量線を示すグラフである。
【符号の説明】
【００５８】
１０，４０，５０    ガス検出器具
１１    ガス検出フィルム
１２    遮光容器
１４    支持体
１５    ハロゲン化銀乳剤層
５１ａ  対照用フィルム
【図１】
2006084344.tif 000009
【図２】
2006084344.tif 000010
【図３】
2006084344.tif 000011
【図４】
2006084344.tif 000012
【図５】
2006084344.tif 000013
【図６】
2006084344.tif 000014
【図７】
2006084344.tif 000015